(57)【要約】【課題】船舶の喫水位置を、船上から容易かつ精度よく測読できるようにする。【解決手段】検定器本体４を、横部材４ａと縦部材４ｂと突出部材４ｃとで構成する。この検定器本体４に、マグネットローラで形成された上部車輪１１および下部車輪１２を取付ける。検定器本体４に、透明な円筒容器状の導水ケース８を取付け、この導水ケース８内に、浮子７を組込む。導水ケース８内に、導水管１８を介して水中深くからの海水を導入する。突出部材４ｃの先端部に、位置調節部材２１を介して、ＴＶカメラ９を取付ける。検定器本体４を、船体２外面の喫水標３にそって、紐体５，６を用いて船上から吊降ろす。導水ケース８内の浮子７の位置を、ＴＶカメラ９を用いて画像として捉え、捉えた画像を、船上に配した表示手段に表示させる。そして、表示手段の表示内容を見て、喫水位置を測読する。【選択図】        図１
2004203070.tif 000002
【特許請求の範囲】
【請求項１】
船体外面の喫水標にそって吊降ろされる検定器本体と；検定器本体を船上から吊降ろす紐体と；前記検定器本体に設けられ、内部に浮子を内蔵する透明容器状の導水ケースと；導水ケースの下端部に接続されて水中に没入される導水管と；前記検定器本体の前面側に配設され、導水ケース内の浮子の位置を画像として捉える撮像手段と；撮像手段で捉えられた画像の内容を確認するための確認手段と；を具備することを特徴とする喫水検定装置。
【請求項２】
撮像手段は、検定器本体側とは別体構造となっていることを特徴とする請求項１記載の喫水検定装置。
【請求項３】
撮像手段は、検定器本体側とは一体構造となっていることを特徴とする請求項１記載の喫水検定装置。
【請求項４】
確認手段は、少なくとも撮像手段で捉えられた画像を表示する表示手段を備え、この表示手段は、船上に配されることを特徴とする請求項１，２または３記載の喫水検定装置。
【請求項５】
確認手段は、撮像手段で捉えられた画像を表示する表示手段および表示手段の表示内容を動画または静止画として記録する記録手段を備え、少なくとも前記表示手段は、船上に配されていることを特徴とする請求項１，２または３記載の喫水検定装置。
【請求項６】
表示手段は、撮像手段で捉えられた画像とともに、少なくとも撮影年月日を表示可能となっていることを特徴とする  請求項４または５記載の喫水検定装置。
【請求項７】
検定器本体は、検定器本体を吊降ろした際に船体外面上を転動する車輪と、車輪を船体外面に密着させるための磁着手段とを備えていることを特徴とする請求項１，２，３，４，５または６記載の喫水検定装置。
【請求項８】
検定器本体は、船体外面にそって水平方向に延びる回転防止部材と、検定器本体の吊降ろし状態を安定させるための重錘とを備えていることを特徴とする請求項１，２，３，４，５または６記載の喫水検定装置。
【請求項９】
検定器本体は、検定器本体を所定位置まで吊降ろした際に、検定器本体を船体外面に位置固定するための位置固定手段を備えていることを特徴とする請求項８記載の喫水検定装置。
【請求項１０】
位置固定手段は、検定器本体を船体外面に磁着させるための電磁石機構、または検定器本体を船体外面に吸着させるための吸盤機構で構成されていることを特徴とする請求項９記載の喫水検定装置。
【請求項１１】
撮像手段で捉えられる画像は、照明手段により照明可能となっていることを特徴とする請求項１，２，３，４，５，６，７，８，９または１０記載の喫水検定装置。
【請求項１２】
導水ケースは、その上端部にエア抜き孔を備え、このエア抜き孔の部分は、エア抜き孔と異なる位置にエア抜き用開口を有する合成樹脂フィルム製のルーズキャップで被覆されていることを請求項１，２，３，４，５，６，７，８，９，１０または１１記載の喫水検定装置。
【請求項１３】
導水ケースは、上下方向に複数に分割可能な連結構造をなしていることを特徴とする請求項１，２，，３，４，５，６，７，８，９，１０，１１または１２記載の喫水検定装置。
【発明の詳細な説明】
【０００１】
【発明の属する技術分野】
本発明は、船舶の喫水標を船上から測読するための喫水検定装置に係り、特に波やうねり等の海象の影響を受けることなく、喫水位置を精度よく測読することができる喫水検定装置に関する。
【０００２】
【従来の技術】
一般に、我国においては、石炭，鉄鉱石，塩，グレーン，肥料等のドライバルク貨物が、年間４億トン以上輸入されており、その大半は船舶により輸送されている。
【０００３】
ところで、ドライバルク貨物の売買数量の決済方法は、船舶の喫水検査が多く採用されており、この喫水検査は、大量のドライバルク貨物の重量を決定する方法として、国際的に認知された数量決定方法である。
【０００４】
【発明が解決しようとする課題】
前記喫水検査は、アルキメデスの原理を利用して、船舶と云う大きな器により大量の貨物を１回で計量するため、作業環境さえ整えば、かなりの精度が期待できるものであるが、船舶の喫水標を測読する方法として従来は、熟練した検査員が目測する方法が採られているため、正確な喫水標の測読が容易でないという問題がある。
【０００５】
すなわち、海面上に浮かんでいる船舶は、波やうねり等の海象の影響をまともに受けることになるため、悪天候の場合はもとより、通常の場合であっても、船舶に接している海面が上下動し、正確な喫水標の測読が困難である。
【０００６】
また、陸側の喫水は、岸壁から行なうことができるが、海側の喫水は、ボートを使用して測読せざるを得ないため、作業が容易でないととももに、コスト高となるという問題もある。
【０００７】
本発明は、かかる現況に鑑みなされたもので、船舶に接している海面が上下動した場合であっても、喫水標を正確に測読することができ、しかもボート等を用いることなく、船上での作業のみで喫水検定を行なうことができる喫水検定装置を提供することを目的とする。
【０００８】
本発明の他の目的は、撮像手段がズーム機能を有していない場合であっても、浮子の位置を最適な大きさの画像として捉えることができる喫水検定装置を提供するにある。
【０００９】
本発明の他の目的は、喫水標の測読作業を容易に行なうことができる喫水検定装置を提供するにある。
【００１０】
本発明の他の目的は、検定器本体の吊降ろし位置を、表示手段の表示内容を確認しながら、船上で容易に決定することができる喫水検定装置を提供するにある。
【００１１】
本発明の他の目的は、表示手段の表示内容を作業員が控えておく必要がなく、測読作業の簡素化を図ることができ、また測読の誤りも防止することができる喫水検定装置を提供するにある。
【００１２】
本発明の他の目的は、測読作業をより簡素化して誤りも防止することができる喫水検定装置を提供するにある。
【００１３】
本発明の他の目的は、喫水が船体の湾曲部分に位置している場合であっても、検定器本体を船体外面に接近させて吊降ろすことができる喫水検定装置を提供するにある。
【００１４】
本発明の他の目的は、装置構成を簡素化してコストダウンを図ることができる喫水検定装置を提供するにある。
【００１５】
本発明の他の目的は、装置構成を簡素化しても、喫水標の測読時には、検定器本体の位置を安定させることができ、強風下であっても作業に支障を来たすことがない喫水検定装置を提供するにある。
【００１６】
本発明の他の目的は、位置固定手段の構造を小型化，簡素化することができる喫水検定装置を提供するにある。
【００１７】
本発明の他の目的は、夜間であっても何等支障なく喫水検定を行なうことができる喫水検定装置を提供するにある。
【００１８】
本発明の他の目的は、波浪による瞬間的な水没に対し、海水等の導水ケース内への流入を防止することができ、しかも導水ケース内のエア抜きは充分に行なうことができる喫水検定装置を提供するにある。
【００１９】
本発明のさらに他の目的は、運搬等の際に導水ケースが邪魔になることがない喫水検定装置を提供するにある。
【００２０】
【課題を解決するための手段】
前記目的を達成するため本発明は、船体外面の喫水標にそって吊降ろされる検定器本体と；検定器本体を船上から吊降ろす紐体と；前記検定器本体に設けられ、内部に浮子を内蔵する透明容器状の導水ケースと；導水ケースの下端部に接続されて水中に没入される導水管と；前記検定器本体の前面側に配設され、導水ケース内の浮子の位置を画像として捉える撮像手段と；撮像手段で捉えられた画像の内容を確認するための確認手段と；を設けるようにしたことを特徴とする。
【００２１】
ところで、船上から検定器本体を船体外面の喫水標にそって吊降ろすと、導水管が水中に没入して導水ケース内に海水（または真水）が流入し、その水面上昇に伴ない浮子が導水ケース内を上昇して所定位置で停止する。そこで、浮子の停止した位置を、撮像手段で画像として捉えるとともに、捉えた画像の内容を確認手段で確認することにより、喫水標も透明な導水ケースを通して同時に確認できることになる。このため、喫水標を船上での作業のみで、容易に測読することが可能となる。しかも、導水ケース内には、導水管を介し水中深くからの海水（または真水）が導入されるため、悪天候等の場合であっても、浮子の上下動が少なく、喫水標を正確に測読することが可能となる。
【００２２】
本発明はまた、撮像手段を、検定器本体側とは別体構造とするようにしたことを特徴とする。そしてこれにより、検定器本体側と撮像手段とを、船体外面にそって各別に吊降ろす必要があるが、検定器本体に対する撮像手段の位置を自由に設定できるので、撮像手段がズーム機能を有していない場合であっても、浮子の位置を最適な大きさの画像として捉えることが可能となる。
【００２３】
本発明はまた、撮像手段を、検定器本体側と一体構造とするようにしたことを特徴とする。そしてこれにより、検定器本体を船体外面にそって吊降ろせば、撮像手段も同時に吊降ろされることになり、喫水標の測読作業を容易に行なうことが可能となる。
【００２４】
本発明はまた、確認手段に、少なくとも撮像手段で捉えられた画像を表示する表示手段を設け、この表示手段を、船上に配するようにしたことを特徴とする。そしてこれにより、検定器本体の吊降ろし位置を、表示手段の表示内容を確認しながら、船上に容易に決定することが可能となる。
【００２５】
本発明はまた、確認手段に、撮像手段で捉えられた画像を表示する表示手段および表示手段の表示内容を動画または静止画として記録する記録手段を設け、少なくとも前記表示手段を、船上に配するようにしたことを特徴とする。そしてこれにより、表示手段の表示内容を作業員が控えておく必要がなくなり、測読作業の簡素化を図ることが可能となるとともに、測読の誤りも防止することが可能となる。
【００２６】
本発明はまた、表示手段に、撮像手段で捉えられた画像とともに、少なくとも撮影年月日も表示できる機能を持たせるようにしたことを特徴とする。そしてこれにより、測読作業をより簡素化することが可能となるとともに、誤りもより少なくすることが可能となる。
【００２７】
本発明はまた、検定器本体に、検定器本体を吊降ろした際に船体外面上を転動する車輪と、車輪を船体外面に密着させるための磁着手段とを設けるようにしたことを特徴とする。そしてこれにより、喫水が船体の湾曲部分に位置している場合であっても、検定器本体を船体外面に接近させて吊降ろすことが可能となる。
【００２８】
本発明はまた、検定器本体に、船体外面にそって水平方向に延びる回転防止部材と、検定器本体の吊降ろし状態を安定させるための重錘とを設けるようにしたことを特徴とする。そしてこれにより、装置構成を簡素化してコストダウンを図ることが可能となる。
【００２９】
本発明はまた、検定器本体に、検定器本体を所定位置まで吊降ろした際に、検定器本体を船体外面に位置固定するための位置固定手段を設けるようにしたことを特徴とする。そしてこれにより、装置構成を簡素化しても、喫水標の測読時には、検定器本体の位置を安定させることが可能となり、強風下であっても、作業に支障を来たすことがない。
【００３０】
本発明はまた、位置固定手段を、検定器本体を船体外面に磁着させるための電磁石機構、または検定器本体を船体外面に吸着させるための吸盤機構で構成するようにしたことを特徴とする。そしてこれにより、位置固定手段の構造を小型化，簡素化することが可能となる。
【００３１】
本発明はまた、撮像手段で捉えられる画像を、照明手段により照明できるようにしたことを特徴とする。そしてこれにより、夜間であっても何等支障なく喫水検定を行なうことが可能となる。
【００３２】
本発明はまた、導水ケースの上端部にエア抜き孔を設け、このエア抜き孔の部分を、エア抜き孔と異なる位置にエア抜き用開口を有する合成樹脂フィルム製のルーズキャップで被覆するようにしたことを特徴とする。そしてこれにより、波浪による瞬間的な水没に対し、海水等の導水ケース内への流入を防止することが可能となり、しかも導水ケース内のエア抜きは充分に行なうことが可能となる。
【００３３】
本発明はさらに、導水ケースを、上下方向に複数に分割可能な連結構造とするようにしたことを特徴とする。そしてこれにより、運搬等の際に導水ケースが邪魔になることがない。
【００３４】
【発明の実施の形態】
以下、本発明を図面を参照して説明する。
図１ないし図３は、本発明の第１の実施の形態に係る喫水検定装置を示すもので、この喫水検定装置１は、船体２外面の喫水標３にそって吊降ろされる検定器本体４を備えており、この検定器本体４には、検定器本体４を船上から吊降ろすための紐体５，６、浮子７を内蔵する透明容器状の導水ケース８、および導水ケース８内の浮子７の位置を画像として捉えるＴＶカメラ９がそれぞれ設けられている。そして、ＴＶカメラ９で捉えられた画像の内容は、図４に示すように、船上に配置された確認手段１０により確認できるようになっている。
【００３５】
前記検定器本体４は、図１ないし図３に示すように、船体２の外面にそって水平に延びる横部材４ａと、横部材４ａのほぼ中央位置から垂下する縦部材４ｂと、横部材４ａの図２および図３における左端位置から前方に水平に突出する突出部材４ｃとを備えており、前記横部材４ａの両端部には、上部車輪１１が回転可能に取付けられているとともに、前記縦部材４ｂの下端部には、下部車輪１２が回転可能に取付けられている。
【００３６】
これら各車輪１１，１２は、その内部に永久磁石が組込まれたマグネットローラで形成されており、これにより、検定器本体４を船体２外面の喫水標３にそって吊降ろした際に、前記各車輪１１，１２が船体２の外面上を密着状態で転動し、船体２の外面が湾曲している場合であっても、検定器本体４を船体２にそって吊降ろすことができるようになっている。
【００３７】
なお、前記各車輪１１，１２は、図２および図３における左端の上部車輪１１が２輪構造で、他がｌ輪構造である場合を図示しているが、車輪の数は、天候状態等に合わせて適宜増減し、磁着力を自由に調節できるようになっている。
【００３８】
前記各紐体５，６は、図２および図３に示すように、一方の紐体５が、取付金具１３を介して横部材４ａの図中右端に固定されているとともに、他方の紐体６が、取付金具１４を介して突出部材４ｃの中間部に取付けられており、取付金具１４は、突出部材４ｃにそって移動可能となっていて、重心調節が簡単にできるようになっている。
【００３９】
また、前記導水ケース８は、図１ないし図３に示すように、透明な円筒状の上部ケース８ａと、透明な円筒状の下部ケース８ｂとを備えており、これら両ケース８ａ，８ｂは、透明な接続具１５を介して着脱可能に接続され、長い１本の水密な容器を構成している。そして、この導水ケース８は、運搬時等、長大な導水ケース８が邪魔になる場合には、両ケース８ａ，８ｂを分離できるようになっている。この導水ケース８の上部ケース８ａは、複数の取付金具１６を介して、縦部材４ｂの側方に一体に取付けられている。
【００４０】
前記導水ケース８の上端部には、図１および図２に示すように、エア抜き機構１７が設けられており、また導水ケース８の下端部には、可撓性を有する導水管１８の上端部が、連結具１９を介して接続されている。そして、この導水管１８は、後に詳述するように水面下深くまで没入され、波やうねり等の影響の少ない海水（または真水）を導水ケース８内に導くことができるようになっている。また、導水管１７の下端部には、例えば籠形状をなす泥よけフィルタ２０が取付けられており、水深が浅い場合であっても、泥水が導水ケース８内に流入するのを防止できるようになっている。
【００４１】
一方、前記突出部材４ｃの先端部には、図１および図３に示すように、基端が突出部材４ｃ内に入れ子状に挿入される位置調節部材２１が設けられており、この位置調節部材２１の突出部材４ｃからの突出長さは、締付け具２２の操作により、容易に行なうことができるようになっている。そして、位置調節部材２１の先端部には、例えばズーム機能を備えたＴＶカメラ９が取付けられている。
【００４２】
前記突出部材４ｃにはまた、図１ないし図３に示すように、乾電池内蔵で防水構造をなす照明具２３が、着脱金具２４を介し着脱可能に取付けられており、この照明具２３により導水ケース８およびその背面の喫水標３を照明することにより、夜間であっても何等支障なく導水ケース８内の浮子７の位置を、ＴＶカメラ９で画像として捉えられるようになっている。そして、ＴＶカメラ９で捉えられた画像の内容は、船上の確認手段１０で確認できるようになっている。
【００４３】
この確認手段１０は、図４に示すように、制御手段２５と、この制御手段２５に接続される表示手段２６，入力手段２７，記録手段２８および印刷手段２９とを備えており、前記表示手段２６には、前記ＴＶカメラ９で捉えられた画像３０とともに、前記入力手段２７から入力される船名データ３１，撮影場所データ３２、および前記制御手段２５から送られる撮影年月日データ３３，撮影時刻データ３４も同時に表示されるようになつている。そして、その表示内容は、動画または静止画として記録手段２８に記録できるようになっているとともに、記録手段２８に記録されている内容は、任意時刻の静止画として印刷手段２９でプリントアウトできるようになっている。
【００４４】
一方、前記導水ケース８上端のエア抜き機構１７は、図６に示すように、上部ケース８ａの上端部に取付けられ上端部にエア抜き孔３５ａを有するキャップ３５と、このキャップ３５の外側に装着されて下端が止め具３７を介して上部ケース８ａに固定されるルーズキャップ３６とで構成されている。
【００４５】
前記ルーズキャップ３６は、図６に示すように、薄い合成樹脂フィルム等を用いて、キャップ３５よりも多少大型のキャップ状に形成されており、その下端部には、空気抜き用の開口部３６ａが設けられている。そして、このルーズキャップ３６は、通常はその自重により弛んでキャップ３５に密着し、エア抜き孔３５ａを閉止した状態になっており、したがって、波浪による瞬間的な水没に対しては、海水等の導水ケース８内への流入を防止でき、しかも導水ケース８内のエア抜きは、エア抜き孔３５ａおよび開口部３６ａを介して充分に行なうことができるようになっている。
【００４６】
次に、本実施の形態の作用について説明する。
喫水標３の測読に際しては、まず一対の紐体５，６を用いて、検定器本体４を船体２外面の喫水標３にそって吊降ろす。この際、検定器本体４の各車輪１１，１２は、永久磁石を内蔵するマグネットローラで形成されているので、各車輪１１，１２を船体２外面に密着させた状態で検定器本体４を吊降ろすことができる。このため、船体２の外面が湾曲していたり、あるいは検定器本体４が波を被った場合等であっても、検定器本体４が船体２から離脱するおそれは全くない。
【００４７】
このようにして、検定器本体４を、喫水近傍の所定の高さ位置まで吊降ろしたならば、両紐体５，６を船上に固縛して、検定器本体４の高さ位置を固定する。この際、検定器本体４の高さ位置は、ＴＶカメラ９および表示手段２６を用いて常時確認できるので、検定器本体４の位置設定が極めて容易である。
【００４８】
ところで、検定器本体４を喫水近傍位置に固定すると、導水ケース８下端から垂下する導水管１８は、水中深くまで没入することになる。このため、導水ケース８内には、導水管１８を介して海水（または真水）が流入し、その水面上昇に伴ない浮子７も導水ケース８内を上昇することになる。そして、喫水位置で静止することになる。
【００４９】
ここで、船舶に接している海面（水面）は、波やうねり等の海象の影響を受け、悪天候の場合はもとより、通常の場合であってもかなり上下動し、正確な喫水標の測読は容易でないが、導水ケース８内には、導水管１８を介して水中深くからの海水（または真水）が流入することになるため、波やうねり等の影響を受けることが殆どなく、浮子７はほぼ静止状態となる。そして、この浮子７周りの画像はＴＶカメラ９で捉えられ、捉えられた画像は、確認手段１０の表示手段２６に表示される。
【００５０】
図５は、浮子７が喫水標３の４ｍの位置でほぼ静止した状態の画像３０を示すもので、この画像３０は、動画あるいは静止画として、記録手段２８に記録されることになる。
【００５１】
ところで、前記表示手段２６には、図５に示すように、前記画像３０とともに、船名データ３１，撮影場所データ３２，撮影年月日データ３３および撮影時刻データ３４も同時に表示され、これらの表示・非表示は入力手段２７の操作でなされる。そして、画像３０とともに表示された各データ３１，３２，３３，３４は、画像３０とともに記録手段２８に記録される。
【００５２】
なお、任意の時刻における画像３０のハードコピーが必要な場合には、当該時刻における画像３０を静止画として表示手段２６に表示させた後、その画像を印刷手段２９を用いてプリントアウトすることにより可能となる。
【００５３】
しかして、前記第１の実施の形態に係る喫水検定装置１を用いることにより、船上に配された表示手段２６の表示内容を目視するだけで、容易に喫水標３を測読することができ、海側の喫水標３であっても、ボート等を用いる必要は全くない。また導水ケース８内の水面は、波やうねり等の海象の影響を殆ど受けることがないので、浮子７をほぼ静止させることができる。このため、悪天候の場合であっても、精度よく喫水標３を測読することができる。
【００５４】
なお、前記第１の実施の形態においては、各車輪１１，１２に永久磁石を組付けて船体２に磁着させる場合について説明したが、検定器本体４に永久磁石を組付けるようにしてもよい。そしてこの場合でも、永久磁石を船体２外面に充分に接近させるようにすれば、必要な磁着力を安定して得ることができる。
【００５５】
図７は、本発明の第２の実施の形態を示すもので、前記第１の実施の形態における各車輪１１，１２を省略するとともに、縦部材４ｂの下端部に、接続金具４１を介して延長部材４２を着脱可能に連結し、その下端部に、検定器本体４の位置を安定させるための重錘４３を取付け、かつ横部材４ａの両端部および縦部材４ｂの中間部に、検定器本体４を所定位置まで吊降ろした際に、検定器本体４を船体２外面に位置固定するための位置固定手段４４を設けるようにしたものである。
【００５６】
前記位置固定手段４４は、検定器本体４を船体２外面に磁着させるための電磁石機構、あるいは検定器本体４を船体２外面に吸着させるための吸盤機構で構成されており、これらの操作は、船上でなされるようになっている。
なお、その他の点については、前記第１の実施の形態と同一構成となっている。
【００５７】
しかして、図７に示す喫水検定装置１の場合には、喫水標３の測読の際に、検定器本体４は、船体２外面に非接触で吊降ろされることになるが、検定器本体４に設けた重錘４３によって、検定器本体４が下方に引張られることになるため、検定器本体４を安定して吊降ろすことができる。そして、万一風等によって検定器本体４が垂直軸廻りに回転しようとしても、船体２外面にそって水平方向に延びる横部材４ａが、検定器本体４の回転防止部材として機能することになるため、検定器本体４が多少回転しても、それ以上の回転を防止することができる。
【００５８】
また、検定器本体４を、喫水近傍の所定高さ位置まで吊降ろした後は、位置固定手段４４を作動させることにより、検定器本体４を船体２外面に位置固定することができるので、喫水標３の測読は、前記第１の実施の形態の場合と同様に行なうことができる。
【００５９】
なお、前記第２の実施の形態においては、検定器本体４に位置固定手段４４を設ける場合について説明したが、この位置固定手段４４は、必要に応じ省略するようにしてもよい。
【００６０】
図８は、本発明の第２の実施の形態を示すもので、前記第１の実施の形態における検定器本体４の突出部材４ｃを削除し、撮像手段を検定器本体４側と別体構造としたものである。
【００６１】
すなわち、検定器本体４とは別体構造をなす操作杆５１の先端部には、透明な水密容器５２が取付けられており、この水密容器５２内には、照明具５３ａを有するディジタル方式等のビデオカメラ５３が収容されている。このビデオカメラ５３は、前記第１の実施の形態における確認手段１０のうち印刷手段２９を除く他のすべての手段２５，２６，２７，２８と同様の機能をすべて備えているが、表示手段２６については、操作性を考慮して船上に別に設置されるようになっている。
なお、その他の点については、基本的に前記第１の実施の形態と同一構成となっている。
【００６２】
しかして、図８に示す喫水検定装置１の場合には、喫水標３の測読の際に、まず検定器本体４を船体２外面にそって吊降ろした後、これとは別に、操作杆５１を用いてビデオカメラ５３を喫水近傍位置まで降下させる必要があるが、検定器本体４に対するビデオカメラ５３の位置を自由に設定できるので、ビデオカメラ５３のズーム機能を用いなくても、浮子７の位置を、簡単に最適に大きさの画像として捉えることができる。
【００６３】
【発明の効果】
以上説明したように本発明は、船体外面の喫水標にそって吊降ろされる検定器本体と；検定器本体を船上から吊降ろす紐体と；前記検定器本体に設けられ、内部に浮子を内蔵する透明容器状の導水ケースと；導水ケースの下端部に接続されて水中に没入される導水管と；前記検定器本体の前面側に配設され、導水ケース内の浮子の位置を画像として捉える撮像手段と；撮像手段で捉えられた画像の内容を確認するための確認手段と；を設けるようにしたことを特徴とする。
【００６４】
ところで、船上から検定器本体を船体外面の喫水標にそって吊降ろすと、導水管が水中に没入して導水ケース内に海水（または真水）が流入し、その水面上昇に伴ない浮子が導水ケース内を上昇して所定位置で停止する。そこで、浮子の停止した位置を、撮像手段で画像として捉えるとともに、捉えた画像の内容を確認手段で確認することにより、喫水標も透明な導水ケースを通して同時に確認できることになる。このため、喫水標を船上での作業のみで、容易に測読することができる。しかも、導水ケース内には、導水管を介し水中深くからの海水（または真水）が導入されるため、悪天候等の場合であっても、浮子の上下動が少なく、喫水標を正確に測読することができる。
【００６５】
本発明はまた、撮像手段を、検定器本体側とは別体構造とするようにしているので、検定器本体側と撮像手段とを、船体外面にそって各別に吊降ろす必要があるが、検定器本体に対する撮像手段の位置を自由に設定できるので、撮像手段がズーム機能を有していない場合であっても、浮子の位置を最適な大きさの画像として捉えることができる。
【００６６】
本発明はまた、撮像手段を、検定器本体側と一体構造とするようにしているので、検定器本体を船体外面にそって吊降ろせば、撮像手段も同時に吊降ろされることになり、喫水標の測読作業を容易に行なうことができる。
【００６７】
本発明はまた、確認手段に、少なくとも撮像手段で捉えられた画像を表示する表示手段を設け、この表示手段を、船上に配するようにしているので、検定器本体の吊降ろし位置を、表示手段の表示内容を確認しながら、船上に容易に決定することができる。
【００６８】
本発明はまた、確認手段に、撮像手段で捉えられた画像を表示する表示手段および表示手段の表示内容を動画または静止画として記録する記録手段を設け、少なくとも前記表示手段を、船上に配するようにしているの、表示手段の表示内容を作業員が控えておく必要がなくなり、測読作業の簡素化を図ることができるとともに、測読の誤りも防止することができる。
【００６９】
本発明はまた、表示手段に、撮像手段で捉えられた画像とともに、少なくとも撮影年月日も表示できる機能を持たせるようにしているので、測読作業をより簡素化することができるとともに、誤りもより少なくすることができる。
【００７０】
本発明はまた、検定器本体に、検定器本体を吊降ろした際に船体外面上を転動する車輪と、車輪を船体外面に密着させるための磁着手段とを設けるようにしているので、喫水が船体の湾曲部分に位置している場合であっても、検定器本体を船体外面に接近させて吊降ろすことができる。
【００７１】
本発明はまた、検定器本体に、船体外面にそって水平方向に延びる回転防止部材と、検定器本体の吊降ろし状態を安定させるための重錘とを設けるようにしているので、装置構成を簡素化してコストダウンを図ることができる。
【００７２】
本発明はまた、検定器本体に、検定器本体を所定位置まで吊降ろした際に、検定器本体を船体外面に位置固定するための位置固定手段を設けるようにしているので、装置構成を簡素化しても、喫水標の測読時には、検定器本体の位置を安定させることができ、強風下であっても、作業に支障を来たすことがない。
【００７３】
本発明はまた、位置固定手段を、検定器本体を船体外面に磁着させるための電磁石機構、または検定器本体を船体外面に吸着させるための吸盤機構で構成するようにしているので、位置固定手段の構造を小型化，簡素化することができる。
【００７４】
本発明はまた、撮像手段で捉えられる画像を、照明手段により照明できるようにしているので、夜間であっても何等支障なく喫水検定を行なうことができる。
【００７５】
本発明はまた、導水ケースの上端部にエア抜き孔を設け、このエア抜き孔の部分を、エア抜き孔と異なる位置にエア抜き用開口を有する合成樹脂フィルム製のルーズキャップで被覆するようにしているので、波浪による瞬間的な水没に対し、海水等の導水ケース内への流入を防止することができ、しかも導水ケース内のエア抜きは充分に行なうことができる。
【００７６】
本発明はさらに、導水ケースを、上下方向に複数に分割可能な連結構造とするようにしているので、運搬等の際に導水ケースが邪魔になることがない。
【図面の簡単な説明】
【図１】本発明の第１の実施の形態に係る喫水検定装置を示す構成図である。
【図２】図１を左方から見た作成図である。
【図３】図２を上方から見た構成図である。
【図４】船上に配置される確認手段の構成を示す説明図である。
【図５】表示手段の表示画面の一例を示す説明図である。
【図６】導水ケース上端のエア抜き機構の構成を示す説明図である。
【図７】本発明の第２の実施の形態を示す図２相当図である。
【図８】本発明の第３の実施の形態を示す図２相当図である。
【符号の簡単な説明】
１  喫水検定装置
２  船体
３  喫水標
４  検定器本体
４ａ  横部材
４ｂ  縦部材
４ｃ  突出部材
５，６  紐体
７  浮子
８  導水ケース
８ａ  上部ケース
８ｂ  下部ケース
９  ＴＶカメラ
１０  確認手段
１１  上部車輪
１２  下部車輪
１７  エア抜き機構
１８  導水管
２０  泥よけフィルタ
２１  位置調節部材
２２  締付け具
２３，５３ａ  照明具
２５  制御手段
２６  表示手段
２７  入力手段
２８  記録手段
２９  印刷手段
３０  画像
３１  船名データ
３２  撮影場所データ
３３  撮影年月日データ
３４  撮影時刻データ
３５  キャップ
３５ａ  エア抜き孔
３６  ルーズキャップ
３６ａ  開口部
３７  止め具
４３  重錘
４４  位置固定手段
５１  操作杆
５２  水密容器
５３  ビデオカメラ
【図１】
2004203070.tif 000003
【図２】
2004203070.tif 000004
【図３】
2004203070.tif 000005
【図４】
2004203070.tif 000006
【図５】
2004203070.tif 000007
【図６】
2004203070.tif 000008
【図７】
2004203070.tif 000009
【図８】
2004203070.tif 000010